(57)【特許請求の範囲】
【請求項１】
任意の形状に湾曲させて両端部を接続可能な面ファスナーを有するベルトと、
前記ベルトを挿通させるベルト挿通部を有し、磁石を内蔵する磁気吸着体とを具備し、
前記磁気吸着体は、耐薬品性を有する合成樹脂製のケースと、当該ケースに螺合される同じく耐薬品性を有する合成樹脂製のキャップと、当該キャップと前記ケースとの間に介設されるバックヨーク、磁石及びパッキングとを具備し、
前記ケースは、円盤状の蓋部と、当該蓋部の一面側に形成される前記ベルト挿通部と、前記蓋部の他面側の周縁に沿って突出し外周にねじ溝を有する偏平円筒状の周壁部と、当該周壁部の基端の外周と前記蓋部との間に形成される段部とを具備し、
前記キャップは、前記ケースの周壁部のねじ溝に螺合するねじ溝を内周に有する偏平円筒状の周壁部と、当該周壁部の一端側内周に形成される円環状の内側フランジ部と、当該内側フランジ部に囲まれる円形開放部とを具備し、
前記バックヨークは前記ケースの周壁部の内側に嵌合する円盤状に形成され、
前記パッキングは、耐薬品性を有するゴム弾性体からなり、前記キャップの円形開放部の内側に嵌合する偏平円筒状の周壁部と、当該周壁部の一端側外周部に形成される円環状の外側フランジ部と他端側を閉じる円形の底板部とを具備し、
前記磁石は、前記パッキングの周壁部の内側に嵌合する円盤状に形成され、
前記ケースに前記キャップが螺合されるとき、前記パッキングの外側フランジ部が前記キャップの内側フランジ部と前記ケースの周壁部の端面との間に気密に挟持され、前記キャップの周壁部の端面が前記ケースの段部に気密に当接し、前記パッキングの底板部が前記キャップの円形開放部から外側へ突出するように構成されることを特徴とするケーブルの結束固定具。
【発明の詳細な説明】
【技術分野】
【０００１】
本発明は、医療機器等に接続される多数のケーブルを状況に応じて容易に結束してベッド等の機器の鉄部の側面に吸着固定する結束具に関する。
【背景技術】
【０００２】
特許文献1には、ケーブル等を結束して壁面等に固定することができることができる磁石付きベルトが提案されている。この磁石付きベルトは、両端部に面ファスナーを有して任意の形状に湾曲させることができるベルトと、このベルトに取り付けられる磁石とを備える。磁石は、ベルトの表面から裏面に貫通する貫通孔に挿通された軸体をかしめ加工することでベルトに取り付けられる。ベルトは、取り付けられている磁石に対して、貫通孔を中心として旋回可能となるように結合されている。
【先行技術文献】
【特許文献】
【０００３】
【特許文献１】特開２０１３−２３８２９４号公報
【発明の概要】
【発明が解決しようとする課題】
【０００４】
例えば、医療現場では、多数の電気機器が使用され、それにつながる多数のケーブルが床面上に延びることがある。床面上に絡み合って延びるケーブルは、医療活動の妨げとなるので、これを結束して固定し、活動の妨げとならない場所に導くことができ、しかも消毒液等の薬液に曝されても腐食等しない結束具が望まれる。
上記従来の磁石付きベルトは、磁石やヨークが外部にむき出しで消毒液による洗浄等により腐食が生じやすいし、ベッドの側面のような垂直面に吸着させた場合、滑って移動、離脱しやすいという問題点がある。
したがって、本発明は、多数のケーブルを機器の使用状況に応じて容易に結束、解放可能で、垂直の鉄部側面に確実に吸着固定でき、しかも薬液に対する高い耐腐食性を有するケーブル結束具を提供することを目的としている。
【課題を解決するための手段】
【０００５】
以下、添付図面の符号を参照して説明するが、本発明はこれに限定されるものではない。
上記課題を解決するための、本発明のケーブル結束具１は、任意の形状に湾曲させて両端部を接続可能な面ファスナー２１，２２を有するベルト２と、このベルト２を挿通させるベルト挿通部４２を有し、磁石７を内蔵する磁気吸着体３とを具備する。磁気吸着体３は、耐薬品性を有する合成樹脂製のケース４と、このケース４に螺合される同じく耐薬品性を有する合成樹脂製のキャップ５と、このキャップ５とケース４との間に介設されるバックヨーク６、磁石７及びパッキング８とを具備する。ケース４は、円板状の蓋部４１と、この蓋部４１の一面側に形成されるベルト挿通部４２と、蓋部４１の他面側の周縁に沿って突出し外周にねじ溝４４を有する偏平円筒状の周壁部４３と、この周壁部４３の基端の外周と蓋部４１との間に形成される段部４５とを具備する。キャップ５は、ケース４の周壁部のねじ溝４４に螺合するねじ溝５４を内周に有する偏平円筒状の周壁部５１と、この周壁部５１の一端側内周に形成される円環状の内側フランジ部５２と、この内側フランジ部５２に囲まれる円形開放部５３とを具備する。バックヨーク６はケース４の周壁部４３の内側に嵌合する円盤状に形成される。パッキング８は、耐薬品性を有するゴム弾性体からなり、キャップ５の円形開放部５３に嵌合する偏平円筒状の周壁部８１と、この周壁部８１の一端側外周部に形成される円環状の外側フランジ部８２と他端側を閉じる円形の底板部５３とを具備する。磁石７は、パッキング８の周壁部８１の内側に嵌合する円盤状に形成される。ケース４にキャップ５が螺合されるとき、パッキング８の外側フランジ部８２がキャップ５の内側フランジ部５２とケース４の周壁部４３の端面４４との間に気密に挟持され、キャップ５の周壁部５１の端面５５がケース４の段部４５に気密に当接し、パッキング８の底板部８３がキャップ５の円形開放部５３から外側へ突出するように構成される。
【発明の効果】
【０００６】
本発明のケーブル結束具は、多数のケーブルを機器の使用状況に応じて容易に結束、解放可能で、結束するケーブル増減に柔軟に対応できる。ゴム弾性体からなるパッキングの底板部がキャップの円形開放部から外側へ突出して、機器の垂直の側面に当接するので、高い摩擦力を持って確実に取り付け面に吸着固定でき、しかも磁石とバックヨークが、ケース、キャップ、パッキングの三者により磁気吸着体の内部に気密に封止されるので、薬液に対する高い耐腐食性を有する。
【図面の簡単な説明】
【０００７】
【図１】本発明に係るケーブル結束具の分解斜視図である。
【図２】図１のケーブル結束具の組立斜視図である。
【図３】図１のケーブル結束具の分解断面図である。
【図４】図１のケーブル結束具の組立断面図である。
【図５】図１のケーブル結束具の使用状態を示す説明図である。
【発明を実施するための形態】
【０００８】
図面を参照して本発明の実施の形態を説明する。
ケーブル結束具１は、任意の形状に湾曲させて両端部を接続可能な面ファスナーを有するベルト２と、このベルトを着脱することができる磁気吸着体３とを具備する。ベルト２は、耐薬品性を有する合成樹脂製で、表裏の全面に面ファスナー２１，２２を備えている。磁気吸着体３は、概略円盤状で、内部に磁石が封入されている。
【０００９】
磁気吸着体３は、耐薬品性を有する合成樹脂製のケース４と、このケース４に螺合される同じく耐薬品性を有する合成樹脂製のキャップ５と、このキャップ４とケース５との間に介設されるバックヨーク６、磁石７及びパッキング８を具備する。
【００１０】
ケース４は、円板状の蓋部４１と、この蓋部４１の概略円形の一面側に形成されるベルト挿通部４２と、他面側の周縁に沿って突出する偏平円筒状の周壁部４３とを具備する。この周壁部４３の外周にはねじ溝４４が、またその基端の外周と蓋部４１との間には、段部４５が形成される。
【００１１】
キャップ５は、偏平円筒状の周壁部５１と、内側フランジ部５２と、円形開放部５３とを具備する。
【００１２】
周壁部５１の内周には、ケース４の周壁部４３のねじ溝４４に螺合するねじ溝５４が形成される。内側フランジ部５２は、周壁部５１の一端側内周に円環状に形成され、その内側に円形開放部５３が形成される。
【００１３】
バックヨーク６は、ケース４の周壁部４３の内側に嵌合する円盤状に形成される。
【００１４】
パッキング８は、耐薬品性を有するゴム弾性体からなり、キャップ５の円形開放部５３に嵌合する偏平円筒状の周壁部８１と、この周壁部８１の一端側外周部に形成される円環状の外側フランジ部８２と、他端側を閉じる円形の底板部８３とを具備する。
【００１５】
磁石７は、パッキング８の周壁部８１の内側に嵌合する円盤状に形成される。
【００１６】
ケース４にキャップ５が螺合されるとき、パッキング８の外側フランジ部８２がキャップ８の内側フランジ部５２とケース４の周壁部４３の端面４６との間に気密に挟持され、またキャップ５の周壁部５１の端面５５がケース４の段部４５に気密に当接する。パッキング８の底板部８３はキャップ５の円形開放部５３から外側へわずかに突出するように構成される。
【００１７】
図５に示す使用例では、医療機器につながる複数のケーブルＣを、その延長途上の所要箇所でバンド２で結束し、ベッドＢの鉄部側面あるいは底面の任意の位置に磁気吸着体３を吸着させて整然と導くことができる。
【００１８】
ケーブル結束具１は、ベルト２の締結位置を調整することで、機器につながるケーブルの数に応じて柔軟にこれを結束することができる。ゴム弾性体からなるパッキング８の外側フランジ部８２は、螺合されるケース４とキャップ２との間で良好な気密性を保持する。円形開放部５３から外側へ突出する底板部８３は、吸着させる機器の側面に当接し、高い摩擦力を提供する。磁石７とバックヨーク６は、ケース４、キャップ５、パッキング８の三者により磁気吸着体３の内部に気密に封止されるので、薬液に対する高い耐腐食性を有する。ケース４とキャップ５が螺号により結合されるので、組立は容易であるが、吸着面に対する引き剥がし操作の繰り返しによっても容易に解離することがない。
【符号の説明】
【００１９】
１      ケーブル結束具
２      ベルト
２１    面ファスナー
２２    面ファスナー
３      磁気吸着体
４      ケース
４１    円板状の蓋部
４２    バンド挿通部
４３    周壁部
４４    ねじ溝
４５    段部
４６    周壁部の端面
５      キャップ
５１    周壁部
５２    内側フランジ部
５３    円形開放部
５４    ねじ溝
５５    周壁部の端面
６      ヨーク
７      磁石
８      パッキング
８１    周壁部
８２    外側フランジ部
８３    底板部
Ｃ      ケーブル
Ｂ      ベッド
【図１】
0006813627.tif 000002
【図２】
0006813627.tif 000003
【図３】
0006813627.tif 000004
【図４】
0006813627.tif 000005
【図５】
0006813627.tif 000006